(57)【特許請求の範囲】
【請求項１】
建築物の基礎のコーナー部に沿ってその側面を覆うように配設される断熱材を防蟻処理するための断熱材コーナー部用防蟻シートであって、前記基礎のコーナー部に沿う形状の辺とこれらの辺と略平行な辺を含む輪郭を有し、当該コーナー部に沿って配設される断熱材の下面を覆うように敷設される底面部と、この底面部において前記基礎のコーナー部に沿う形状の辺とこれらの辺と略平行な辺とからそれぞれ立ち上がり、前記基礎のコーナー部に配設される断熱材の下部の内側面と外側面とをそれぞれ覆う側面部とを一体に有することを特徴とする断熱材コーナー部用防蟻シート。
【請求項２】
請求項１記載の断熱材コーナー部用防蟻シートと、この断熱材コーナー部用防蟻シートにより覆われる部分以外の断熱材の下部を覆うための断熱材本体用防蟻シートとを含むことを特徴とする断熱材用防蟻シート。
【請求項３】
請求項２記載の断熱材用防蟻シートを用いて、建築物の基礎のコーナー部に沿ってその側面を覆うように配設される断熱材が防蟻処理される断熱材防蟻構造であって、前記基礎のコーナー部に沿って配設される断熱材の下面を前記断熱材用防蟻シートの底面部が覆うとともに当該断熱材の下部の内側面及び外側面を当該断熱材コーナー部用防蟻シートの側面部が覆うように当該断熱材コーナー部用防蟻シートが配設され、この断熱材コーナー部用防蟻シートにより覆われる部分以外の断熱材の下部を覆うように前記断熱材本体用防蟻シートが配設されていることを特徴とする断熱材防蟻構造。
【請求項４】
請求項３記載の断熱材防蟻構造において、２枚の断熱材の端部同士が突き合わされた状態でこれらの断熱材が前記基礎のコーナー部に配設されるとともに、前記２枚の断熱材をまたぐように前記断熱材コーナー部用防蟻シートが配設されていることを特徴とする断熱材防蟻構造。
【請求項５】
請求項３または４記載の断熱材防蟻構造において、前記建築物の基礎にランナーが設けられているとともに、このランナーに前記断熱材の下部が差し込まれた状態で支持され、
前記断熱材本体用防蟻シートは、前記断熱材の下部と前記ランナーとの間で挟み込まれていることを特徴とする断熱材防蟻構造。
【発明の詳細な説明】
【０００１】
【発明の属する技術分野】
本発明は、建築物の基礎に隣接する断熱材の防蟻に使用する断熱材コーナー部用防蟻シート、断熱材用防蟻シート及び断熱材防蟻構造に関するものである。
【０００２】
【従来の技術】
従来、建造物における防湿及び防蟻構造としては、基礎で囲まれた床下部分全体を防湿・防蟻シートで覆い尽くすことにより、地盤から建築物へ白蟻が這い上がって食害を起こすことや、地盤に含まれる湿気により建築物が腐食することを防止している。また、基礎に隣接して断熱材を施すことにより建築物の断熱効果を高める場合があり、この場合においても断熱材が食害を受けることや、湿気により腐食することを防止するため、断熱材をシートで覆って、地盤と遮断する必要が出てきている。
【０００３】
【発明が解決しようとする課題】
断熱材のコーナー部分にシートを敷設するときには、シートにしわができること等によりシートと断熱材との間に間隙ができる。また、しわが出来ないようにシートの一部を切断して敷設した場合、シートの一部に間隙を生じることになる。したがって、いずれの場合においても完全に断熱材のコーナー部分をシートで覆うことは困難であった。また、作業上においても、シートにできる限りしわが出来ないようにシートを折り畳んだり、シートの一部を切断したりする等の負担が強いられていた。
【０００４】
本発明は断熱材のコーナー部分を確実に覆い、高い防蟻及び防湿効果を得るとともに、敷設作業の負担を軽減することである。
【０００５】
【課題を解決するための手段】
本発明は、建築物の基礎のコーナー部に沿ってその側面を覆うように配設される断熱材を防蟻処理するための断熱材コーナー部用防蟻シートであって、前記基礎のコーナー部に沿う形状の辺とこれらの辺と略平行な辺を含む輪郭を有し、当該コーナー部に沿って配設される断熱材の下面を覆うように敷設される底面部と、この底面部において前記基礎のコーナー部に沿う形状の辺とこれらの辺と略平行な辺とからそれぞれ立ち上がり、前記基礎のコーナー部に配設される断熱材の下部の内側面と外側面とをそれぞれ覆う側面部とを一体に有することを特徴とする断熱材コーナー部用防蟻シートである。
【０００６】
この場合、断熱材コーナー部用防蟻シートは、基礎のコーナー部に沿って配設される断熱材の下面を覆うように敷設される底面部と、この底面部において前記基礎のコーナー部に沿う形状の辺とこれらの辺と略平行な辺とからそれぞれ立ち上がり、前記基礎のコーナー部に配設される断熱材の下部の内側面と外側面とをそれぞれ覆う側面部とを一体に有しているため、このシートの一部を切断しなくても、しわ等を生ずることなく断熱材コーナー部に配設することが出来る。したがって、高い防蟻及び防湿効果が得られるとともに、敷設作業の負担を軽減することが出来る。
【０００７】
なお、ここでいう「一体に有する」とは、各部が相互につながっていればよい趣旨であり、全体が一体成型されたものの他、各部を構成するシート材が相互に溶着等で一体化されたものも含まれる。例えば、単一枚のシート材で構成され、このシート材を折り曲げて適当な辺同士を接合することにより前記底面部と側面部とを一体に有する形状に形成するようにしたものでよい。
【０００８】
また本発明は、前記の断熱材コーナー部用防蟻シートと、この断熱材コーナー部用防蟻シートにより覆われる部分以外の断熱材の下部を覆うための断熱材本体用防蟻シートとを含むことを特徴とする断熱材用防蟻シートである。
【０００９】
このシートを用いれば、前記コーナー部を含む断熱材下部の領域又は所望の領域を好適な状態で被覆することができる。具体的には、建築物の基礎のコーナー部に沿ってその側面を覆うように配設される断熱材が防蟻処理される断熱材防蟻構造であって、前記基礎のコーナー部に沿って配設される断熱材の下面を前記断熱材用防蟻シートの底面部が覆うとともに当該断熱材の下部の内側面及び外側面を当該断熱材コーナー部用防蟻シートの側面部が覆うように当該断熱材コーナー部用防蟻シートが配設され、この断熱材コーナー部用防蟻シートにより覆われる部分以外の断熱材の下部を覆うように前記断熱材本体用防蟻シートが配設されている断熱材防蟻構造を構築することが可能であり、この構造によって高い防蟻効果を得ることができる。
【００１０】
この断熱材防蟻構造では、２枚の断熱材の端部同士が突き合わされた状態でこれらの断熱材が前記基礎のコーナー部に配設される場合でも、これら２枚の断熱材をまたぐように前記断熱材コーナー部用防蟻シートが配設されている構造を構築することにより、前記２枚の断熱材の下部を確実に覆うことが出来、高い防湿及び防蟻効果を得ることが可能となる。
【００１１】
また、上記断熱材防蟻構造において、建築物の基礎にランナーが設けられているとともに、このランナーに断熱材の下部が差し込まれた状態で支持され、断熱材本体用防蟻シートは、断熱材の下部とランナーとの間で挟み込まれていてもよい。
【００１２】
【発明の実施の形態】
まず、本発明の参考例について、図１〜図６を用いて説明する。
【００１３】
参考例（図１〜図６参照）
図１は、本参考例における床下防蟻構造の斜視図である。
【００１４】
基礎１０は、図示されていないが建築物の床下を取り囲むように設置され、その内側面及び取り囲まれた地盤の地盤１１（図２参照）の部分である土間部分には基礎用防蟻シートが敷設されている。
【００１５】
基礎用防蟻シートは、基礎１０の内側面及び内側面に隣接する地盤１１に敷設された基礎コーナー部用防蟻シート２０と、基礎本体用防蟻シート３０とを有している。さらに、土間部分に敷設された土間用防蟻シート４０も含んでいる。なお、シート素材としては、ＥＶＡ（エチレン−酢酸ビニル共重合体）、低密度ポリエチレン、ポリ塩化ビニル等に代表される合成樹脂素材等が主に用いられる。
【００１６】
基礎コーナー部用防蟻シート２０は、基礎１０の内側面のすべてのコーナー部及びその内側の地盤を覆うように複数枚設置され、各々底面部２０ａと第１側面部２０ｂと第２側面部２０ｃとを一体に有している。底面部２０ａは、前記コーナー部の内側の地盤を覆うように設置され、ほぼ正方形の形をしている。底面部２０ａの内側面に隣接する二辺は、ほぼ基礎１０のコーナー部の内側面に沿っており、その辺から第１側面部２０ｂと第２側面部２０ｃとが立ち上がり、両側面部２０ｂ、２０ｃ同士も連続している。図例では、第１側面部２０ｂと第２側面部２０ｃは、基礎１０のコーナー部の内側面を当該コーナー部をまたいで覆うように設置されている。
【００１７】
基礎本体用防蟻シート３０は、基礎１０の内側面のコーナー部以外を覆うように複数枚設置され、基礎本体用防蟻シート底面部３０ａと基礎本体用防蟻シート側面部３０ｂとを備え、一体に成型されている。また、基礎本体用防蟻シート側面部３０ｂは基礎コーナー部以外の部分の内側面を覆い、基礎本体用防蟻シート底面部３０ａは当該内側面の内側の地盤１１を覆うよう設置されている。
【００１８】
さらに、第１側面部２０ｂと基礎本体用防蟻シート側面部３０ｂ並びに第２側面部２０ｃと基礎本体用防蟻シート側面部３０ｂ、及び、底面部２０ａと底面部２０ａに隣接する基礎本体用防蟻シート底面部３０ａ、３０ａは各々一部が重ねられることにより、基礎コーナー部用防蟻シート２０とこれに隣接する２枚の基礎本体用防蟻シート３０とが一部重なり合う状態で敷設されている。
【００１９】
また、土間用防蟻シート４０についても、端部が底面部３０及び基礎本体用防蟻シート底面部３０ａ、３０ａの内側端部に重なり合うようにして敷設されている。
【００２０】
次に、本参考例における床下防蟻構造の施工方法を図２〜図５に基づいて説明する。
【００２１】
工程１（図２参照）  基礎１０の内側から見て基礎１０の内側面のコーナー部より右側（図示では右側）について、前記のコーナー部を除いた部分の内側面とその内側の地盤１１とを基礎本体用防蟻シート３０で覆う。このとき、基礎本体用防蟻シート側面部３０ｂは基礎コーナー部以外の部分の内側面を覆い、基礎本体用防蟻シート底面部３０ａは当該内側面の内側の地盤を覆うように設置される。
【００２２】
工程２（図３参照）  基礎１０の内側から見て基礎１０の内側面のコーナー部より左側（図示では左側）について、前記のコーナー部を除いた部分の内側面とその内側の地盤１１とを基礎本体用防蟻シート３０で工程１と同様の形態で覆う。
【００２３】
工程３（図４参照）  基礎１０のコーナー部の内側面及びそこに隣接する地盤１１を基礎コーナー部用防蟻シート２０で覆う。このとき、底面部２０ａは基礎１１の内側面のコーナー部の内側の地盤を覆い、第１側面部２０ｂと第２側面部２０ｃは、基礎１０のコーナー部の内側面を覆うように設置される。
【００２４】
工程４（図５参照）  土間用防蟻シート４０の端部が底面部３０及び基礎本体用防蟻シート底面部３０ａ、３０ａの内側端部の一部に重ね合わすように、土間部分を土間用防蟻シート４０で覆う。
【００２５】
なお、工程１〜工程４の順番については、任意の順番で行ってもよく、特に前記の順番に限定されない。
【００２６】
ここで、基礎コーナー部用防蟻シート２０の製造方法を図６（ａ）〜（ｄ）を用いて説明する。
【００２７】
工程１（図６（ａ）参照）  長方形の形状をしたシート基材１００を一枚用意する。
【００２８】
工程２（図６（ｂ）参照）  シート基材１００の角同士が重なるようにして２つに折る。
【００２９】
工程３（図６（ｃ）参照）  ２つに折った折り目の部分から、シートの角同士が重なりあっている場所に向けて斜めに切断する。さらに、その切り口１０１同士を熱圧着や接着剤を用いる等により接着する。
【００３０】
工程４（図６（ｄ）参照）  折り目の部分及び切り口１０１以外の部分を広げる。以上により、折り目１０１が底面部２０ａの対角線上に位置し、底面部２０ａと第１側面部２０ｂ及び第２側面部２０ｃとが一体に形成された基礎用コーナー部用防蟻シート２０が完成する。
【００３１】
なお、基礎用コーナー部用防蟻シート２０の製造方法は、前記に限定されるものではない。例えば、基礎用コーナー部用防蟻シート２０と同形状の金型に、粉末状やペレット状の合成樹脂を充填してスラッシュ成型等の射出成型を行うことにより、基礎用コーナー部用防蟻シート２０を製造することも可能である。また、任意の枚数のシートを使用して、適当な辺同士を接合して形成することも可能である。
【００３２】
以上のように、基礎コーナー部用防蟻シート２０は、底面部２０ａの基礎１０の内側面に隣接する二辺は、ほぼ基礎１０のコーナー部の内側面に沿っており、その辺から第１側面部２０ｂと第２側面部２０ｃが立設されている。
【００３３】
したがって、基礎コーナー部用防蟻シート２０を基礎１０の内側面のコーナー部に敷設するとき、シートの一部を切断しなくても、しわによる間隙を生ずることなく建築物の基礎１０の内側面のコーナー部を覆うことが出来る。さらに、底面部２０及び第１側面部２０ｂ及び第２側面部２０ｃは一体に成型されているため、シートの一部を切断して作製した場合のようにシートに間隙が生じたりすることもない。よって、より高い防蟻及び防湿効果を得ることが可能となる。また、敷設作業上としては、シートを折りたたんだり、シート一部を切断する手間が省けるため、敷設作業の負担を軽減することが可能となる。
【００３４】
さらに、基礎用防蟻シートは、基礎用コーナー部用防蟻シート２０のみならず、基礎本体用防蟻シート３０及び土間用防蟻シート４０を有している。したがって、基礎１０のコーナー部以外の内側面及び土間部分についても、基礎用防蟻シートで覆われるため、完全に基礎で囲まれた部分を基礎用防蟻シートで覆うことができる。よって、白蟻や湿気が基礎用防蟻シートから上部へ上ることを確実に防止でき、より高い防蟻及び防湿効果を得ることが可能となる。
【００３５】
また、第１側面部２０ｂと基礎本体用防蟻シート側面部３０ｂ並びに第２側面部２０ｃと基礎本体用防蟻シート側面部３０ｂ、及び、底面部２０ａと隣接する基礎本体用防蟻シート底面部３０ａ、３０ａは各々一部が重ねられることにより、基礎コーナー部用防蟻シート２０とこれに隣接する基礎本体用防蟻シート３０、３０とが一部重なり合う状態で設置されている。
【００３６】
この場合、基礎コーナー部用防蟻シート２０とこれに隣接する基礎本体用防蟻シート３０、３０との間に間隙が生ずる可能性を低減することが出来るため、より防蟻及び防湿効果を高めることが出来る。
【００３７】
また、土間用防蟻シート４０についても、端部が底面部３０と基礎本体用防蟻シート底面部３０ａ、３０ａに重なり合うようにして敷設されているため、土間用防蟻シート４０と基礎コーナー部用防蟻シート２０並びに基礎本体用防蟻シート３０、３０との間に間隙が生ずる可能性を低減することが出来るため、より防蟻及び防湿効果を高めることが出来る。
【００３８】
次に、本発明の実施形態について、図７〜図１２を用いて説明する。ただし、本発明は以下の実施形態に限定されることはない。
【００３９】
実施形態（図７〜図１２参照）
以下の実施形態において、上記参考例と同一部分には同一符号を付して示し、その重複説明を省略する。
【００４０】
図７は、本実施形態における断熱材防蟻構造についての一部断面の斜視図である。
【００４１】
基礎１０は、フーチング１１及びフーチング上部から立直する基礎立直部１２とを有し、断熱材６０が、基礎１０のコーナー部に、基礎立直部１２の外側面に沿って、２枚の断熱材６０の端部同士がつき合わさった状態で配設されている。
【００４２】
また、各々の断熱材６０は、フーチング１１の上面のうち、基礎立直部１２の外側面下端の近接した部分に設置されたランナー７０に支持されることにより、基礎立直部１２の外側面に固定される。
【００４３】
さらに、断熱材６０の内側面及び外側面の下部と底面を覆うように、断熱材コーナー部用防蟻シート５０及び断熱材本体用防蟻シート５１、すなわち断熱材用防蟻シートが設置されている。
【００４４】
断熱材本体用シート５１は、長方形の形状で、断熱材６０のコーナー部以外の内側面及び外側面の下部と底面を覆い、断熱材６０とランナー７０に挟み込まれる状態で設置されている。
【００４５】
図８に示すとおり、断熱材コーナー部用防蟻シート５０は、底面部５０ａと、第一側面部５０ｂと、第二側面部５０ｃと、第三側面部５０ｄと、第四側面部５０ｅとを備えている。
【００４６】
底面部５０ａは、断熱材の厚さを略同じ長さを幅長としたＬ字型の形状をしている。したがって、Ｌ字型の内側の二辺については、基礎立直部１２の外側面のコーナー部分に沿うようになっており、外側の二辺については、内側の二辺と略平行になっている。Ｌ字型の内側の二辺からは、第一側面部５０ｂ、第二側面部５０ｃが立ち上がり、外側の二辺からは、第三側面部５０ｄ、第四側面部５０ｅとが立ち上がり、これらは一体に成型されている。
【００４７】
ここで図７に戻り、第一側面部５０ｂ及び第二側面部５０ｃは２枚の断熱材６０がつき合わさった状態のコーナー部の内側面を覆っている。さらに、図９に示すとおり底面部５０ａは前記断熱材６０のコーナー部の底面を、第三側面部５０ｄ及び第四側面部５０ｅは前記断熱材６０のコーナー部の外側面を覆っている。
【００４８】
よって、断熱材コーナー部用防蟻シート５０は、２枚の断熱材６０の端部をまたぐように配設されている。
【００４９】
次に本実施形態における断熱材防蟻構造の施工方法について、図９〜図１２を用いて説明する。
【００５０】
工程１（図９参照）  ２枚の断熱材６０をつき合わせた状態のコーナー部に、この断熱材６０同士をまたぐように断熱材コーナー用防蟻シート５０を設置する。このとき、断熱材６０の底面（図示では上面）には底面部５０ａが、内側面には図示されないが第一側面部５０ｂ及び第二側面部５０ｃが、外側面には第三側面部５０ｄ及び第四側面部５０ｅが覆うようにして設置される。
【００５１】
工程２（図１０参照）  ２枚の断熱材６０のコーナー部分を除いた部分についての底面及び内側面及び外側面を、２枚の断熱材本体用防蟻シート５１で覆い、かつ、一部が断熱材コーナー用防蟻シート５０に重なるようにして設置される。
【００５２】
工程３（図１１参照）  フーチング１１の上面のうち、基礎立直部１２の外側面下端の近接した部分に当該基礎立直部１２のコーナー部を挟んで２枚のランナー７０を設置する。
【００５３】
工程４（図１２参照）  工程２の状態の断熱材６０の底面をランナー７０に差し込むことにより、基礎立直部１２の外側面に断熱材６０を配設する。
【００５４】
以上の説明によると、断熱材コーナー部用防蟻シート５０は、基礎立直部１２のコーナー部に沿って配設される断熱材６０の下面を覆うように敷設される底面部５０ａと、この底面部５０ａから基礎立直部１２の外側面コーナー部に沿う形状の辺から立ち上がる第一側面部５０ｂ及び第二側面部５０ｃと、前記の辺と略平行な辺から立ち上がる第三側面部５０ｄ、第四側面部５０ｅとを有している。したがって、このシートの一部を切断しなくても、しわ等を生ずることなく断熱材６０のコーナー部に配設することが出来る。さらに前記の部分同士は一体に成型されているため、シートの一部を切断して作製した場合のようにシートに間隙が生じたりすることもない。したがって、高い防蟻及び防湿効果が得られるとともに、敷設作業の負担を軽減することが出来る。
【００５５】
さらに、断熱材用防蟻シートは、断熱材コーナー部用防蟻シート５０のみならず、断熱材本体用防蟻シート５１をも備えている。したがって、断熱材６０のコーナー部分のみならず、それ以外の断熱材６０の下部も断熱材防蟻シートで覆うことが出来るため、より高い防蟻及び防湿効果を得ることが可能となる。
【００５６】
また、前記２枚の断熱材６０をまたぐように断熱材コーナー部用防蟻シート５０が配設されているため２枚の断熱材６０の端部同士が突き合わされた状態の断熱材防蟻構造においても、断熱材６０を確実に覆うことが出来、高い防湿及び防蟻効果を得ることが可能となる。
【００５７】
その他の参考例
（１）  上記参考例の基礎コーナー部用防蟻シート２０について、図１３のように、底面部２０ａをＬ字型にして、Ｌ字型の内側面にあたる部分に第１側面部２０ｂと第２側面部２０ｃとを立設するようにしてもよい。この場合、図１４のように、基礎１０の内側面のコーナー部分が突出している場合においても、しわによる間隙を生ずることなく建築物の基礎１０の内側面のコーナー部を覆うことが出来る。
【００５８】
（２）  底面部２０ａは前記の形態の他、基礎１０の内側面のコーナー部に沿う形状の辺を含む輪郭であれば、任意の形態を取ることが可能である。例えば、長方形、直角三角形等のような形態をとることも可能である。
【００５９】
その他の実施形態
（１）  上記実施形態において、断熱材６０の配設される位置は必ずしも基礎立直部１２の外側面に限定されるものではない。例えば、基礎立直部１２の内側面に配設したり、基礎立直部１２の内側面及び外側面の両方に設置することも可能である。これらの場合においても、前記の基礎防蟻構造及び基礎用防蟻シート及び施工方法を施すことが可能である。
【００６０】
（２）  上記実施形態において、断熱材防蟻構造の施工方法は必ずしも前記方法に限定されるものではない。例えば、ランナー７０に予め断熱材コーナー用防蟻シート５０及び断熱材本体用防蟻シート５１とを設置しており、その後断熱材６０のみをランナー７０に差し込むような工程をとることも可能である。
【００６１】
【発明の効果】
以上のように本発明の断熱材コーナー部用防蟻シートは、基礎のコーナー部に沿って配設される断熱材の下面を覆うように敷設される底面部と、この底面部において前記基礎のコーナー部に沿う形状の辺とこれらの辺と略平行な辺とからそれぞれ立ち上がり、前記基礎のコーナー部に配設される断熱材の下部の内側面と外側面とをそれぞれ覆う側面部とを一体に有している。したがって、このシートの一部を切断しなくても、しわ等を生ずることなく断熱材コーナー部に配設することが出来る。よって、断熱材に関して高い防蟻及び防湿効果の得られるとともに、断熱材防蟻シートの敷設作業の負担を軽減することが出来る。
【図面の簡単な説明】
【図１】  参考例にかかる床下防蟻構造の斜視図である。
【図２】  参考例にかかる床下防蟻構造の施工方法の工程１を示した斜視図である。
【図３】  参考例にかかる床下防蟻構造の施工方法の工程２を示した斜視図である。
【図４】  参考例にかかる床下防蟻構造の施工方法の工程３を示した斜視図である。
【図５】  参考例にかかる床下防蟻構造の施工方法の工程４を示した斜視図である。
【図６】    （ａ）〜（ｄ）は、参考例にかかる基礎用床下防蟻シートの製造方法の工程を示した斜視図である。
【図７】  実施形態にかかる断熱材防蟻構造についての一部断面の斜視図である。
【図８】  実施形態にかかる断熱材コーナー部用防蟻シートについての斜視図である。
【図９】  実施形態にかかる断熱材防蟻構造の施工方法の工程１を示した斜視図である。
【図１０】  実施形態にかかる断熱材防蟻構造の施工方法の工程２を示した斜視図である。
【図１１】  実施形態にかかる断熱材防蟻構造の施工方法の工程３を示した斜視図である。
【図１２】  実施形態にかかる断熱材防蟻構造の施工方法の工程４を示した斜視図である。
【図１３】  参考例における基礎コーナー部用防蟻シートの変形例を示した斜視図である。
【図１４】  図１３を用いての床下防蟻構造を示した斜視図である。
【符号の説明】
１０  基礎
２０  基礎コーナー部用防蟻シート
２０ａ  底面部
２０ｂ  第１側面部
２０ｃ  第２側面部
３０  基礎本体用防蟻シート
３０ａ  基礎本体用防蟻シート底面部
３０ｂ  基礎本体用防蟻シート側面部
４０  土間用防蟻シート
５０  断熱材コーナー部用防蟻シート
５０ａ  底面部
５０ｂ  第一側面部
５０ｃ  第二側面部
５０ｄ  第三側面部
５０ｅ  第四側面部
５１  断熱材本体用防蟻シート
６０  断熱材
７０  ランナー
１００  シート基材
【図１】
0003983548.tif 000002
【図２】
0003983548.tif 000003
【図３】
0003983548.tif 000004
【図４】
0003983548.tif 000005
【図５】
0003983548.tif 000006
【図６】
0003983548.tif 000007
【図７】
0003983548.tif 000008
【図８】
0003983548.tif 000009
【図９】
0003983548.tif 000010
【図１０】
0003983548.tif 000011
【図１１】
0003983548.tif 000012
【図１２】
0003983548.tif 000013
【図１３】
0003983548.tif 000014
【図１４】
0003983548.tif 000015